(57)【要約】【課題】ファンの配置が制限される場合であっても、筐体内の部材を効率よく冷却することができる画像形成装置を提供すること。【解決手段】プリンタ１に、本体ケーシング２と、本体ケーシング２内の空気を流動させるファン７８と、ファン７８を収容するファンカバー７７とを備える。そして、ファンカバー７７に、上方に配置される第１開口部１１０と、下方に配置される第２開口部１１１と、第１開口部１１０と第２開口部１１１との上下方向の間において、ファン７８の回転中心Ａと重なるように配置され、ファン７８の駆動により生じる気流をガイドする規制壁８４とを備える。【選択図】図７
2015127744.tif 000002
【特許請求の範囲】
【請求項１】
筐体と、
前記筐体内の空気を流動させるように構成されるファンと、
前記ファンを収容するファンカバーとを、備え、
前記ファンカバーは、
前記ファンの回転軸線が延びる軸線方向の一方、かつ、前記軸線方向と直交する直交方向の一方に配置され、前記ファンカバーを前記軸線方向に貫通する第１開口部と、
前記軸線方向の一方、かつ、前記直交方向において前記ファンの回転中心に対して、前記第１開口部の反対側である前記直交方向の他方に配置され、前記ファンカバーを前記軸線方向に貫通する第２開口部と、
前記軸線方向の一方、かつ、前記直交方向における前記第１開口部と前記第２開口部との間において、前記軸線方向から見て前記回転中心と重なるように配置され、前記ファンの駆動により生じる気流をガイドするように構成される壁部とを有していることを特徴とする、画像形成装置。
【請求項２】
前記壁部は、前記第２開口部側から前記第１開口部に近づくにつれて、前記軸線方向の一方側に向かうように傾斜する傾斜部を有していることを特徴とする、請求項１に記載の画像形成装置。
【請求項３】
前記第１開口部の開口面積は、前記第２開口部の開口面積よりも小さく、
前記傾斜部は、前記直交方向において前記回転中心よりも前記第１開口部側に配置されていることを特徴とする、請求項２に記載の画像形成装置。
【請求項４】
前記傾斜部は、
前記軸線方向および前記直交方向の両方向と直交する第２直交方向の一方に配置される第１傾斜部と、
前記第１傾斜部に対して前記第２直交方向の他方に隣接配置される第２傾斜部とを有し、
前記第１傾斜部と前記ファンとが画定する空間の体積が、前記第２傾斜部と前記ファンとが画定する空間の体積よりも大きいことを特徴とする、請求項３に記載の画像形成装置。
【請求項５】
前記第１傾斜部の前記第２開口部側の端部は、前記第２傾斜部の前記第２開口部側の端部よりも、前記第２開口部に近い位置に配置されていることを特徴とする、請求項４に記載の画像形成装置。
【請求項６】
前記筐体内に配置され、現像剤像を記録媒体に定着するように構成される定着ユニットを備え、
前記定着ユニットは、前記ファンに対して、前記軸線方向の一方に配置され、
前記定着ユニットの前記第２直交方向の一方側の端部は、前記ファンよりも前記第２直交方向の一方に配置されていることを特徴とする、請求項４または５に記載の画像形成装置。
【請求項７】
前記ファンカバーは、
前記壁部における前記第２直交方向の一方側の端部から、前記軸線方向の他方に向かって延びる側壁と、
前記側壁を前記第２直交方向に貫通する第３開口部とを有していることを特徴とする、請求項４〜６のいずれか一項に記載の画像形成装置。
【請求項８】
前記ファンに対して前記第２直交方向の一方に配置される基板を備えていることを特徴とする、請求項７に記載の画像形成装置。
【請求項９】
前記壁部は、
前記傾斜部における前記第１開口部側の端部から連続して、前記ファンから離れるように、前記軸線方向の一方に延びる延出壁を有していることを特徴とする、請求項３〜８のいずれか一項に記載の画像形成装置。
【請求項１０】
前記壁部は、前記ファンに対して前記軸線方向の一方に間隔を空けて向かい合っていることを特徴とする、請求項２〜９のいずれか一項に記載の画像形成装置。
【請求項１１】
前記壁部は、前記傾斜部と連続しており、前記直交方向と、前記軸線方向および前記直交方向の両方向と直交する第２直交方向とのそれぞれに対して平行な平行部を有していることを特徴とする、請求項１０に記載の画像形成装置。
【請求項１２】
前記ファンカバーは、
前記第１開口部が配置される第１部分と、
前記第２開口部が配置される第２部分とを有し、
前記第２部分は、
前記壁部よりも、前記軸線方向において前記ファンの近傍に位置する近傍部分と、
前記近傍部分よりも、前記軸線方向において前記ファンから離間する離間部分と、
前記近傍部分と前記離間部分とを連続し、前記回転中心に対して、前記直交方向の他方に配置される連続部分とを有していることを特徴とする、請求項１０または１１に記載の画像形成装置。
【請求項１３】
前記ファンは、
前記回転軸線と一致する中心軸線を有する円柱部と、
前記円柱部から前記円柱部の径方向の外方に向かって延び、前記円柱部の周方向に間隔を空けて配置される複数の羽根部とを有し、
前記連続部分は、
前記回転中心と前記円柱部の径方向の外方端部との間に配置されていることを特徴とする、請求項１２に記載の画像形成装置。
【請求項１４】
前記第２開口部は、前記近傍部分と、前記離間部分とに配置されていることを特徴とする、請求項１３に記載の画像形成装置。
【請求項１５】
前記筐体内に収容され、記録媒体に画像を形成するように構成される画像形成部と、
前記筐体の上方に配置され、原稿を読み取るように構成されている読取装置とを備え、
前記筐体は、
前記ファンに対して前記軸線方向の一方に配置され、前記画像形成部を支持するフレームと、
前記読取装置の下方において、前記フレームに対して、前記軸線方向および前記直交方向の両方向と直交する第２直交方向に向かい合うように配置されるカバーとを備え、
前記ファンは、
前記フレームと前記カバーとのそれぞれに対して前記軸線方向の他方に向かい合うことを特徴とする、請求項１〜１４のいずれか一項に記載の画像形成装置。
【請求項１６】
前記筐体は、
前記フレームに対して前記軸線方向の他方に配置され、前記フレームを前記軸線方向の他方から覆うサイドカバーを備え、
前記ファンおよび前記ファンカバーは、前記サイドカバーに取り付けられていることを特徴とする、請求項１５に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、記録紙にトナーを熱定着させる定着ユニットと、発熱素子を備え、定着ユニットに電力を供給する電源回路基板とを備える画像形成装置が知られている。しかるに、このような画像形成装置では、定着ユニットおよび発熱素子が熱を発生するので、画像形成装置の温度上昇を抑制すべく、放熱することが必要である。
【０００３】
そこで、例えば、定着ユニットおよび発熱素子のそれぞれが発生する熱を外部に排出する冷却ファンを備えるレーザビームプリンタが知られている（たとえば、特許文献１参照）。
【０００４】
そして、そのような画像形成装置では、冷却ファンは、動作することにより、定着ユニットの近傍の熱気、および、発熱素子の近傍の熱気のそれぞれを吸い寄せた後、外部に排出する。
【先行技術文献】
【特許文献】
【０００５】
【特許文献１】特開２００８−７０７４３号公報
【発明の概要】
【発明が解決しようとする課題】
【０００６】
しかるに、近年、画像形成装置の小型化がますます望まれている。しかし、特許文献１に記載の画像形成装置において、小型化を図ると、冷却ファンを配置するためのスペースが制限されてしまい、冷却ファンの配置の自由度が低下してしまう。
【０００７】
すると、冷却ファンが、定着ユニットおよび発熱素子の少なくともいずれか一方の熱気を十分に吸引することができず、定着ユニットおよび発熱素子を効率よく冷却することができない場合がある。
【０００８】
そこで、本発明の目的は、ファンの配置が制限される場合であっても、筐体内の部材を効率よく冷却することができる画像形成装置を提供することにある。
【課題を解決するための手段】
【０００９】
（１）上記した目的を達成するために、本発明の画像形成装置は、筐体と、筐体内の空気を流動させるように構成されるファンと、ファンを収容するファンカバーとを、備えている。ファンカバーは、ファンの回転軸線が延びる軸線方向の一方、かつ、軸線方向と直交する直交方向の一方に配置され、ファンカバーを軸線方向に貫通する第１開口部と、軸線方向の一方、かつ、直交方向においてファンの回転中心に対して、第１開口部の反対側である直交方向の他方に配置され、ファンカバーを軸線方向に貫通する第２開口部と、軸線方向の一方、かつ、直交方向における第１開口部と第２開口部との間において、軸線方向から見て回転中心と重なるように配置され、ファンの駆動により生じる気流をガイドするように構成される壁部とを有している。
【００１０】
このような構成によれば、壁部が軸線方向から見てファンの回転中心と重なるように配置されているので、ファンの回転中心の近傍において生じる気流は、壁部により、軸線方向に沿う流動が規制される。そして、壁部は規制した気流をガイドするので、第１開口部および第２開口部のそれぞれを通過する空気の流量を調整することができる。
【００１１】
そのため、第１開口部および第２開口部のそれぞれにおいて、筐体内の部材を効率よく冷却するために必要な空気の流量を確保することができる。その結果、ファンの配置が制限される場合であっても、筐体内の部材を効率よく冷却することができる。
（２）壁部は、第２開口部側から第１開口部に近づくにつれて、軸線方向の一方側に向かうように傾斜する傾斜部を有していてもよい。
【００１２】
このような構成によれば、傾斜部は、第２開口部側から第１開口部に近づくにつれて、軸線方向の一方側、つまり、ファンから離れるように傾斜している。そのため、ファンと傾斜部との間の空間は、傾斜部が第２開口部側から第１開口部に近づくにつれて大きくなる。すなわち、ファンと傾斜部との間の空間は、第２開口部側よりも、第１開口部側の方が大きく確保されている。
【００１３】
そして、ファンが駆動すると、ファンと傾斜部との間の空気が流動するので、ファンと傾斜部との間において、第１開口部側の方が第２開口部側よりも多くの空気が流動する。そのため、第１開口部を通過する空気の流量の向上を図ることができる。
（３）第１開口部の開口面積は、第２開口部の開口面積よりも小さくてもよい。この場合、傾斜部は、直交方向において回転中心よりも第１開口部側に配置されている。
【００１４】
このような構成によれば、傾斜部が、直交方向において回転中心よりも第１開口部側に配置されているので、第１開口部の開口面積が、第２開口部の開口面積よりも小さい場合であっても、第１開口部を通過する空気の流量の低下を抑制することができる。
（４）傾斜部は、軸線方向および直交方向の両方向と直交する第２直交方向の一方に配置される第１傾斜部と、第１傾斜部に対して第２直交方向の他方に隣接配置される第２傾斜部とを有していてもよい。この場合、第１傾斜部とファンとが画定する空間の体積が、第２傾斜部とファンとが画定する空間の体積よりも大きい。
【００１５】
このような構成によれば、第１傾斜部とファンとが画定する空間の体積が、第２傾斜部とファンとが画定する空間の体積よりも大きいので、第１開口部における直交方向の一方側を通過する空気の流量を、第１開口部における直交方向の他方側を通過する空気の流量よりも多く確保することができる。
（５）第１傾斜部の第２開口部側の端部は、第２傾斜部の第２開口部側の端部よりも、第２開口部に近い位置に配置されていてもよい。
【００１６】
このような構成によれば、第１傾斜部の第２開口部側の端部が、第２傾斜部の第２開口部側の端部よりも、第２開口部に近いので、第１傾斜部とファンとが画定する空間の体積を、第２傾斜部とファンとが画定する空間の体積よりも確実に大きく確保することができる。
（６）画像形成装置は、筐体内に配置され、現像剤像を記録媒体に定着するように構成される定着ユニットを備えていてもよい。この場合、定着ユニットは、ファンに対して、軸線方向の一方に配置され、定着ユニットの第２直交方向の一方側の端部は、ファンよりも第２直交方向の一方に配置されている。
【００１７】
しかるに、定着ユニットは、現像剤像を記録媒体に定着するときに発熱する。そして、定着ユニットは、定着ユニットの第２直交方向の一方側の端部がファンよりも第２直交方向の一方に位置するように配置されている。
【００１８】
ここで、第１開口部の直交方向の一方側、つまり、第１開口部における定着ユニットの近傍に配置される部分を通過する空気の流量が、第１開口部の直交方向の他方側を通過する空気の流量よりも多く確保されている。そのため、定着ユニットを効率的に冷却することができる。
（７）ファンカバーは、壁部における第２直交方向の一方側の端部から、軸線方向の他方に向かって延びる側壁と、側壁を第２直交方向に貫通する第３開口部とを有していてもよい。
【００１９】
このような構成によれば、壁部における第２直交方向の一方側の端部から、軸線方向の他方に向かって延びる側壁に、第３開口部が配置されているので、ファンに対して、第２直交方向の一方側の空気を確実に流動させることができる。
（８）画像形成装置は、ファンに対して第２直交方向の一方に配置される基板を備えていてもよい。
【００２０】
しかるに、基板は、画像形成動作時において発熱する場合がある。そして、基板は、ファンに対して第２直交方向の一方に配置されている。
【００２１】
ここで、ファンは、第３開口部を介して、第２直交方向の一方側の空気を確実に流動させることができるので、基板を効率的に冷却することができる。
（９）壁部は、傾斜部における第１開口部側の端部から連続して、ファンから離れるように、軸線方向の一方に延びる延出壁を有していてもよい。
【００２２】
このような構成によれば、延出壁が、傾斜部における第１開口部側の端部から連続して、軸線方向の一方に延びているので、延出壁は、第１開口部の近傍の空気が第１開口部に向かうようにガイドできる。
（１０）壁部は、ファンに対して軸線方向の一方に間隔を空けて向かい合っていてもよい。
【００２３】
このような構成によれば、壁部は、ファンに対して軸線方向の一方に間隔を空けて向かい合っているので、壁部とファンとの間には空間が確保されている。そのため、ファンが駆動したときに、壁部とファンとの間の空気を確実に流動させることができ、ひいては、第１開口部を通過する空気の流量の向上を確実に図ることができる。
（１１）壁部は、傾斜部と連続しており、直交方向と、軸線方向および直交方向の両方向と直交する第２直交方向とのそれぞれに対して平行な平行部を有していてもよい。
【００２４】
このような構成によれば、壁部が、傾斜部と連続する平行部を有しているので、第１開口部および第２開口部のそれぞれを通過する空気の流量を確実に調整することができる。
（１２）ファンカバーは、第１開口部が配置される第１部分と、第２開口部が配置される第２部分とを有していてもよい。この場合、第２部分は、壁部よりも、軸線方向においてファンの近傍に位置する近傍部分と、近傍部分よりも、軸線方向においてファンから離間する離間部分と、近傍部分と離間部分とを連続し、回転中心に対して、直交方向の他方に配置される連続部分とを有している。
【００２５】
このような構成によれば、近傍部分と離間部分とを連続する連続部分が、回転中心に対して、直交方向の他方に配置されているので、ファンが駆動したときに、ファンが、連続部分に対して直交方向の他方側に位置する空気を流動させることを抑制できる。
【００２６】
そのため、第２開口部を通過する空気の流量を制限することができ、相対的に、第１開口部を通過する空気の流量の向上を図ることができる。
（１３）ファンは、回転軸線と一致する中心軸線を有する円柱部と、円柱部から円柱部の径方向の外方に向かって延び、円柱部の周方向に間隔を空けて配置される複数の羽根部とを有していてもよい。この場合、連続部分は、回転中心と円柱部の径方向の外方端部との間に配置されている。
【００２７】
このような構成によれば、連続部分が、回転中心と円柱部の径方向の外方端部との間に配置されているので、第２開口部を通過する空気の流量を適切に制限することができながら、第１開口部を通過する空気の流量の向上を図ることができる。
（１４）第２開口部は、近傍部分と、離間部分とに配置されていてもよい。
【００２８】
このような構成によれば、近傍部分が軸線方向においてファンの近傍に位置しているので、ファンが駆動すると、近傍部分に配置される第２開口部の周囲の空気が確実に流動する。そのため、近傍部分に配置される第２開口部を通過する空気の流量を確実に確保することができる。
【００２９】
一方、離間部分は、軸線方向において、近傍部分よりもファンから離間しているので、ファンが駆動すると、離間部分とファンとの間には、第１開口部を通過する空気が流入する。そのため、第１開口部を通過する空気の流量のさらなる向上を図ることができながら、離間部分に配置される第２開口部を通過する空気の流量を抑制することができる。その結果、離間部分に配置される第２開口部を通過する空気の流量は、近傍部分に配置される第２開口部を通過する空気の流量と比較して少ない。つまり、第２開口部の各部分において、空気の流量を調整することができる。
（１５）画像形成装置は、筐体内に収容され、記録媒体に画像を形成するように構成される画像形成部と、筐体の上方に配置され、原稿を読み取るように構成されている読取装置とを備えていてもよい。この場合、筐体は、ファンに対して軸線方向の一方に配置され、画像形成部を支持するフレームと、読取装置の下方において、フレームに対して、軸線方向および直交方向の両方向と直交する第２直交方向に向かい合うように配置されるカバーとを備え、ファンは、フレームとカバーとのそれぞれに対して軸線方向の他方に向かい合う。
【００３０】
このような構成によれば、ファンは、フレームとカバーとのそれぞれに対して軸線方向の他方に向かい合うように、配置が制限されている。しかし、ファンカバーは、第１開口部および第２開口部のそれぞれを通過する空気の流量を調整することができるので、ファンをフレームとカバーとのそれぞれに対して軸線方向の他方に向かい合うように配置しても、筐体内の部材を効率よく冷却することができる。
（１６）筐体は、フレームに対して軸線方向の他方に配置され、フレームを軸線方向の他方から覆うサイドカバーを備えている。この場合、ファンおよびファンカバーは、サイドカバーに取り付けられている。
【００３１】
このような構成によれば、ファンは、フレームに対して軸線方向の他方に向かい合うように、サイドカバーに取り付けられている。そのため、ファンは、フレームとサイドカバーとの軸線方向の間に配置されている。
【００３２】
その結果、ファンは、駆動することにより、フレームとサイドカバーとの間に気流を発生させることができ、フレームとサイドカバーとの間に配置される部材を、効率よく冷却することができる。
【発明の効果】
【００３３】
本発明の画像形成装置によれば、ファンの配置が制限される場合であっても、筐体内の部材を効率よく冷却することができる。
【図面の簡単な説明】
【００３４】
【図１】図１は、本発明の画像形成装置の一実施形態であるプリンタの中央断面図を示す。
【図２】図２は、図１に示すプリンタを右上から見た斜視図を示す。
【図３】図３は、図１に示すプリンタのＡ−Ａ断面図であって、プロセスカートリッジを除いた状態を示す。
【図４】図４は、図３に示すプリンタのＢ−Ｂ断面図を示す。
【図５】図５は、図３に示すファンユニットおよび右サイドカバーを、左下方から見た斜視図を示す。
【図６】図６は、図５に示すファンユニットの左側面図を示す。
【図７】図７Ａは、図６に示すファンユニットのＣ−Ｃ断面図を示す。図７Ｂは、図６に示すファンユニットのＤ−Ｄ断面図を示す。
【発明を実施するための形態】
【００３５】
１．プリンタの全体構成
画像形成装置の一例としてのプリンタ１は、図１に示すように、筐体の一例としての本体ケーシング２と、給紙部３と、画像形成部４と、読取装置の一例としてのフラットベットスキャナ１０とを備えている。
【００３６】
本体ケーシング２は、略ボックス形状を有しており、給紙部３および画像形成部４を収容している。
【００３７】
なお、以下の説明において、方向について言及する場合には、プリンタ１を水平に載置した状態を基準として、図１における紙面左方を前方とし、図１における紙面右方を後方とする。また、プリンタ１を前方から見たときを左右の基準とし、図１の紙面手前が右方であり、紙面奥が左方である。また、図１の紙面上方が上方であり、紙面下方が下方である。すなわち、前後方向および左右方向のそれぞれが水平方向であり、上下方向が鉛直方向である。また、左右方向が軸線方向の一例であり、左方が軸線方向の一方の一例であり、右方が軸線方向の他方の一例である。また、上下方向が直交方向の一例であり、上方が直交方向の一方の一例であり、下方が直交方向の他方の一例である。また、前後方向が第２直交方向の一例であり、前方が第２直交方向の一方の一例であり、後方が第２直交方向の他方の一例である。
（１）本体ケーシング
本体ケーシング２は、カートリッジ開口部５と、用紙開口部６とを有している。カートリッジ開口部５は、本体ケーシング２の上端部に配置されており、本体ケーシング２の内部空間と外部空間とを上下方向に連通している。用紙開口部６は、本体ケーシング２の前端部に配置されており、本体ケーシング２の前端部の下方部分を前後方向に貫通している。
【００３８】
また、本体ケーシング２は、トップカバー７と、給紙カバー８とを備えている。トップカバー７は、カートリッジ開口部５を上方から被覆するように、本体ケーシング２の上端部に配置されている。また、トップカバー７は、排紙トレイ３５を有している。排紙トレイ３５は、トップカバー７の上面から下方に向かって凹んでいる。
【００３９】
そして、トップカバー７は、後端部を支点として、カートリッジ開口部５を閉鎖する閉鎖位置と、カートリッジ開口部５を開放する開放位置との間を揺動するように構成されている。
【００４０】
給紙カバー８は、用紙開口部６を前方から被覆するように、本体ケーシング２の前端部に配置されている。そして、給紙カバー８は、その下端部を支点として、用紙開口部６を閉鎖する閉位置と、用紙開口部６を開放する開位置とに揺動可能に構成されている。
（２）給紙部
給紙部３は、記録媒体の一例としての用紙Ｐを画像形成部４に供給するように構成されており、本体ケーシング２内の底部に配置されている。給紙部３は、用紙収容部９と、ピックアップローラ１１と、給紙ローラ１２と、給紙パッド１３と、給紙パス１４とを備えている。
【００４１】
用紙収容部９は、用紙Ｐの後方部分を収容可能に構成されており、用紙収容部９の内部空間は、用紙開口部６を介して、本体ケーシング２の外部と前後方向に連通している。なお、用紙収容部９に用紙Ｐを導入するには、給紙カバー８を開位置に配置した後、用紙開口部６を介して、用紙Ｐを前方から後方に向かって用紙収容部９に導入する。これによって、用紙Ｐの後方部分は、用紙収容部９の底壁上にスタックされ、用紙Ｐの前方部分は、開位置にある給紙カバー８上にスタックされる。
【００４２】
ピックアップローラ１１は、用紙収容部９の後上方に配置されている。給紙ローラ１２は、ピックアップローラ１１の後方に間隔を空けて配置されている。給紙パッド１３は、給紙ローラ１２の後下端部と接触するように、給紙ローラ１２の後下方に配置されている。給紙パス１４は、給紙パッド１３の後端部から連続して上方に向かって延びている。
（３）画像形成部
画像形成部４は、用紙Ｐに画像を形成するように構成されており、プロセスカートリッジ１５と、スキャナユニット１６と、定着ユニット１７とを備えている。
【００４３】
プロセスカートリッジ１５は、用紙Ｐにトナー像を形成するように構成されており、カートリッジ開口部５を介して、本体ケーシング２に着脱可能に構成されている。プロセスカートリッジ１５は、本体ケーシング２内の後方部分における上下方向略中央に装着されている。
【００４４】
プロセスカートリッジ１５は、ドラムカートリッジ１８と、現像カートリッジ１９とを備えている。ドラムカートリッジ１８は、ドラムフレーム２３と、感光ドラム２０と、転写ローラ２１と、スコロトロン型帯電器２２とを備えている。
【００４５】
ドラムフレーム２３は、有底矩形枠形状を有している。感光ドラム２０は、ドラムフレーム２３の後方部分に回転可能に支持されている。転写ローラ２１は、感光ドラム２０の後方に配置されている。転写ローラ２１の前端部は、感光ドラム２０の後端部に圧接している。そして、転写ローラ２１は、ドラムフレーム２３に回転可能に支持されている。
【００４６】
スコロトロン型帯電器２２は、感光ドラム２０の前上方に間隔を空けて配置されており、ドラムフレーム２３に支持されている。
【００４７】
現像カートリッジ１９は、ドラムフレーム２３に着脱可能に構成されており、ドラムフレーム２３に装着された状態で、感光ドラム２０の前下方に配置されている。
【００４８】
現像カートリッジ１９は、現像フレーム２４と、現像ローラ２５と、供給ローラ２６と、層厚規制ブレード２７とを備えている。現像フレーム２４は、左右方向に延びる略ボックス状を有しており、現像フレーム２４の後端部は、前後方向に開放されている。また、現像フレーム２４は、その内部において、現像剤の一例としてのトナーを収容している。
【００４９】
現像ローラ２５は、現像フレーム２４の後端部に配置されており、現像フレーム２４に回転可能に支持されている。また、現像ローラ２５の上方部分および後方部分は、現像フレーム２４から露出しており、現像ローラ２５の後上端部は、感光ドラム２０の前下端部に接触している。
【００５０】
供給ローラ２６は、現像フレーム２４内において、現像ローラ２５の前下方に配置されており、現像フレーム２４に回転可能に支持されている。また、供給ローラ２６の後上端部は、現像ローラ２５の前下端部に接触している。
【００５１】
層厚規制ブレード２７は、現像ローラ２５の前上方に配置されている。層厚規制ブレード２７は、層厚規制ブレード２７の下端部が現像ローラ２５の前端部に接触するように、現像フレーム２４に支持されている。
【００５２】
スキャナユニット１６は、本体ケーシング２内における前方部分の上下方向略中央に配置されており、プロセスカートリッジ１５の前方に配置されている。スキャナユニット１６は、図１に実線で示すように、感光ドラム２０に向けて、画像データに基づくレーザービームＬを出射し、感光ドラム２０の周面を露光する。
【００５３】
定着ユニット１７は、プロセスカートリッジ１５の後方部分の上方に配置されている。そして、定着ユニット１７は、上下方向から見たときに、プロセスカートリッジ１５および給紙ローラ１２と重なるように配置されている。
【００５４】
定着ユニット１７は、加熱ローラ３１と、加圧ローラ３２とを備えている。加圧ローラ３２は、加熱ローラ３１に対して後上方に配置されており、加圧ローラ３２の前下端部は、加熱ローラ３１の後上端部に圧接している。
【００５５】
フラットベットスキャナ１０は、原稿を読み取るように構成されており、本体ケーシング２の上方に間隔を空けて配置されている。フラットベットスキャナ１０は、スキャナフレーム２８と、原稿カバー２９とを備えている。
【００５６】
スキャナフレーム２８は、フラットベットスキャナ１０の下方半分を構成し、上下方向において扁平な略ボックス形状を有している。スキャナフレーム２８の上壁は、ガラスなどからなる読取窓３０を有している。原稿カバー２９は、フラットベットスキャナ１０の上方半分を構成し、上下方向に扁平な略ボックス形状を有している。原稿カバー２９は、その後端部を支点として、スキャナフレーム２８に揺動可能に支持されている。
【００５７】
そして、フラットベットスキャナ１０は、読取窓３０と原稿カバー２９との間に原稿が配置された後、図示しない読取センサがスライドすることによって、原稿の画像データを読み取る。そして、プリンタ１では、フラットベットスキャナ１０で読み取った画像データに基づいて、後述する画像形成動作が実施可能に構成されている。
（４）画像形成動作
プリンタ１において、後述する制御基板７３の制御により画像形成動作が開始すると、スコロトロン型帯電器２２は、感光ドラム２０の表面を一様に帯電する。その後、スキャナユニット１６が、感光ドラム２０の表面を露光する。これにより、画像データに基づく静電潜像が、感光ドラム２０の表面に形成される。
【００５８】
また、供給ローラ２６は、現像フレーム２４内のトナーを現像ローラ２５に供給する。このとき、トナーは、現像ローラ２５と供給ローラ２６との間で正極性に摩擦帯電され、現像ローラ２５上に担持される。層厚規制ブレード２７は、現像ローラ２５上に担持されたトナーを一定厚さに規制する。
【００５９】
そして、現像ローラ２５は、一定厚みとして担持するトナーを、感光ドラム２０の表面上の静電潜像に供給する。これにより、トナー像が、感光ドラム２０の表面上に担持される。
【００６０】
また、ピックアップローラ１１は、回転することにより、用紙収容部９に収容された用紙Ｐを、給紙ローラ１２と給紙パッド１３との間に向かって送り出す。そして、給紙ローラ１２は、回転により、給紙ローラ１２と給紙パッド１３との間に送られた用紙Ｐを１枚ずつ捌く。その後、給紙ローラ１２は、回転により、所定のタイミングで１枚ずつ、上下方向に延びる給紙パス１４に搬送し、感光ドラム２０と転写ローラ２１との間に給紙する。
【００６１】
次いで、転写ローラ２１は、用紙Ｐが感光ドラム２０と転写ローラ２１との間を通過するときに、感光ドラム２０上のトナー像を、転写バイアスによって用紙Ｐに転写する。
【００６２】
その後、用紙Ｐは、加熱ローラ３１と加圧ローラ３２との間に向かって搬送される。そして、加熱ローラ３１および加圧ローラ３２は、用紙Ｐが加熱ローラ３１と加圧ローラ３２との間を通過するときに、用紙Ｐを加熱および加圧する。このとき、用紙Ｐ上のトナー像は、用紙Ｐに熱定着される。その後、用紙Ｐは、１対の排紙ローラ３６の間に向けて搬送され、排紙ローラ３６は、トップカバー７の排紙トレイ３５に向けて、用紙Ｐを排紙する。
【００６３】
このように用紙Ｐは、用紙収容部９から給紙され、感光ドラム２０と転写ローラ２１との間を通過し、次いで、加熱ローラ３１と加圧ローラ３２との間を通過した後、排紙トレイ３５に排紙されるように、側面視略Ｃ字状の搬送パスを搬送される。
２．本体ケーシングの詳細
本体ケーシング２は、図１〜図３に示すように、１対のサイドフレーム４０と、カバーの一例としてのリアフレーム４１と、１対のサイドカバー４２とを備えている。
【００６４】
１対のサイドフレーム４０は、図３に示すように、左右方向に互いに間隔を空けて向かい合っており、フラットベットスキャナ１０の左右両端部のそれぞれの下方に配置されている。また、１対のサイドフレーム４０は、図１に示すように、画像形成部４の左右両端部のそれぞれを支持している。１対のサイドフレーム４０のそれぞれは、図４に示すように、前後方向に延びる側面視略矩形の板状を有している。
【００６５】
なお、以下の説明において、図３に示すように、１対のサイドフレーム４０の左右に言及するときは、左方のサイドフレーム４０を左サイドフレーム４０Ｌとし、右方のサイドフレーム４０を右サイドフレーム４０Ｒとする。また、右サイドフレーム４０Ｒが、フレームの一例である。
【００６６】
リアフレーム４１は、図１に示すように、フラットベットスキャナ１０の後方部分の下方、かつ、図４に示すように、１対のサイドフレーム４０の後方に配置されている。リアフレーム４１は、図１、図２および図４に示すように、後方および下方に向かって開放される略ボックス形状を有しており、１対のリア側壁４３と、リア上壁４４と、リア前壁４５とを有している。
【００６７】
１対のリア側壁４３は、図２に示すように、リアフレーム４１の左右両端部であって、左右方向に互いに間隔を空けて向かい合っている。リア側壁４３は、図４に示すように、上下方向に延びる側面視略矩形の板状を有している。そして、１対のリア側壁４３のそれぞれは、１対のサイドフレーム４０のそれぞれの後方に隣接配置されている。つまり、１対のリア側壁４３のうち、右方のリア側壁４３は、右サイドフレーム４０Ｒに対して、前後方向に向かい合うように、後方に配置されている。
【００６８】
リア上壁４４は、図１に示すように、リアフレーム４１の上端部であって、１対のリア側壁４３の上端部間に架設されている。リア前壁４５は、リアフレーム４１の前端部であって、１対のリア側壁４３の前端部間に架設されている。リア前壁４５の上端部は、リア上壁４４の前端部に接続されている。
【００６９】
１対のサイドカバー４２は、図２および図３に示すように、本体ケーシング２の左右両端部であって、本体ケーシング２の左右方向の外装を構成する。なお、以下の説明において、１対のサイドカバー４２の左右に言及するときは、左方のサイドカバー４２を左サイドカバー４２Ｌとし、右方のサイドカバー４２を右サイドカバー４２Ｒとする。
【００７０】
１対のサイドカバー４２のそれぞれは、図５に示すように、左右方向内方に向かって開放される略ボックス形状を有しており、プレート５０と、周側壁５１とを一体に有している。
【００７１】
プレート５０は、左右方向に延びる側面視略矩形の板状を有しており、サイドフレーム４０およびリア側壁４３を左右方向外方から、一括して被覆可能なサイズを有している。周側壁５１は、プレート５０の周端縁から左方に向かって突出している。
【００７２】
また、右サイドカバー４２Ｒは、図２および図５に示すように、通気口５３と、切欠部５５とを有している。
【００７３】
通気口５３は、プレート５０の上方部分における前後方向略中央に配置されている。通気口５３は、複数のスリット５４から構成されている。スリット５４は、前後方向に延びる側面視略直線状を有しており、図３に示すように、プレート５０を左右方向に貫通している。複数のスリット５４は、互いに等間隔を隔てて上下方向に並列配置されている。
【００７４】
切欠部５５は、図５に示すように、周側壁５１の上壁の後方部分に配置されている。切欠部５５は、左方に向かって開放される平面視略Ｕ字状を有しており、周側壁５１の上壁の左端部から右方に向かって切り欠かれている。
【００７５】
そして、１対のサイドカバー４２のそれぞれは、図２および図４に示すように、サイドフレーム４０およびリア側壁４３を、左右方向の外方から一括して被覆している。これによって、右サイドカバー４２Ｒのプレート５０は、図３に示すように、右サイドフレーム４０Ｒに対して右方に間隔を空けて配置されており、右サイドカバー４２Ｒと、右サイドフレーム４０Ｒと、右方のリア側壁４３とは、内部に収容空間Ｓを画定するエンクロージャー４７を構成する。
３．トップカバーおよび定着ユニットの詳細
トップカバー７は、図１に示すように、本体ケーシング２の上端部であって、フラットベットスキャナ１０に対して下方に間隔を空けて配置されている。トップカバー７は、側面視略クランク形状を有しており、前方部分６０と、段差部６１と、後方部分６２とを一体に有している。
【００７６】
前方部分６０は、トップカバー７の前方部分であって、平面視略矩形の板状を有している。段差部６１は、トップカバー７の前後方向略中央部分であって、前方部分６０の後端部から連続して後上方に向かって延びている。後方部分６２は、トップカバー７の後方部分であって、段差部６１の上端部から連続して、後方に向かって延びている。
【００７７】
また、トップカバー７は、排紙トレイ３５と、複数の貫通口６３とを有している。
【００７８】
排紙トレイ３５は、トップカバー７の前方部分６０の平面視略中央に配置されており、前方部分６０の上面から下方に向かって凹んでいる。複数の貫通口６３は、トップカバー７の後方部分６２の後端部において、左右方向に並列配置されている。各貫通口６３は、後方部分６２を上下方向に貫通している。
【００７９】
定着ユニット１７は、本体ケーシング２内において、排紙トレイ３５の後方かつトップカバー７の後方部分６２の下方に配置されている。定着ユニット１７は、上記の加熱ローラ３１および加圧ローラ３２に加え、定着フレーム６５を備えている。定着フレーム６５は、後方に向かって開放される略ボックス形状を有している。定着フレーム６５は、加熱ローラ３１を収容しており、加熱ローラ３１を回転可能に支持している。
４．ファンユニット
また、プリンタ１は、図４に示すように、ファンユニット７０と、低電圧基板７１と、基板の一例としての高電圧基板７２と、制御基板７３とを備えている。
【００８０】
ファンユニット７０は、図３および図５に示すように、右サイドカバー４２Ｒのプレート５０の左面に配置されており、通気口５３と左右方向に向かい合うように、プレート５０の左面の上方部分における前後方向略中央に取り付けられている。
【００８１】
ファンユニット７０は、図６に示すように、ファン７８と、ファンカバー７７とを有している。
【００８２】
ファン７８は、図４に示すように、円柱部１００と、複数の羽根部１０１とを有している。円柱部１００は、左右方向に延びる略円柱形状を有している。複数の羽根部１０１は、円柱部１００の外周面において、円柱部１００の周方向に間隔を空けて配置されている。複数の羽根部１０１のそれぞれは、円柱部１００から円柱部１００の径方向の外方に向かって延びている。
【００８３】
そして、ファン７８は、図６に示すように、円柱部１００の中心軸線を回転中心Ａとして回転するように、右サイドカバー４２Ｒのプレート５０に支持されている。つまり、円柱部１００の中心軸線が、ファン７８の回転軸線の一例である。
【００８４】
ファンカバー７７は、図７Ａに示すように、右方に向かって開放される略ボックス形状を有しており、ファン７８を収容している。ファンカバー７７は、カバープレート８０と、カバー周側壁８１と、延出壁８２とを一体に有している。
【００８５】
カバープレート８０は、ファンカバー７７の左端部であって、ファン７８に対して左方に間隔を空けて向かい合っている。カバープレート８０は、図５に示すように、側面視略矩形状を有しており、第１部分８３と、壁部の一例としての規制壁８４と、第２部分８５とを有している。
【００８６】
第１部分８３は、図６に示すように、カバープレート８０の上端部であって、ファン７８の回転中心Ａに対して上方に間隔を空けて配置されている。第１部分８３は、前後方向に延びる側面視略矩形状を有しており、図７Ａに示すように、上下方向に沿って延びている。
【００８７】
規制壁８４は、図６に示すように、カバープレート８０の上下方向略中央部分であって、第１部分８３の下方に連続して配置されている。規制壁８４は、図７Ａおよび図７Ｂに示すように、側面視略Ｌ字状を有しており、傾斜部８７と、平行部８８とを有している。
【００８８】
傾斜部８７は、第１部分８３の下端部から連続して、下方に向かうにつれて右方に傾斜するように延びている。詳しくは、傾斜部８７は、図６に示すように、第１傾斜部８９と、第２傾斜部９０とを有している。
【００８９】
第１傾斜部８９は、傾斜部８７の前方部分であって、図７Ａに示すように、第１部分８３の下端部における前方部分から連続して、下方に向かうにつれて右方に傾斜するように延びている。
【００９０】
第２傾斜部９０は、図６に示すように、傾斜部８７の後方部分であって、第１傾斜部８９に対して後方に隣接配置されている。第２傾斜部９０は、図７Ｂに示すように、第１部分８３の下端部における後方部分から連続して、下方に向かうにつれて右方に傾斜するように延びている。
【００９１】
第２傾斜部９０の下方に向かう傾斜は、図７Ａおよび図７Ｂに示すように、第１傾斜部８９の下方に向かう傾斜よりも大きい。そのため、図７Ｂに示すように、第２傾斜部９０とファン７８との前後方向の間隔は、第１傾斜部８９とファン７８との前後方向の間隔よりも小さい。また、第２傾斜部９０の下端部は、図６に示すように、第１傾斜部８９の下端部よりも上方に位置している。これらによって、第１傾斜部８９とファン７８とが画定する空間の体積は、第２傾斜部９０とファン７８とが画定する空間の体積よりも大きい。なお、第１傾斜部８９の後端部と、第２傾斜部９０の前端部とは、連結されている。
【００９２】
平行部８８は、傾斜部８７の下端部から連続して、下方に向かって延びている。つまり、平行部８８は、前後方向および上下方向のそれぞれに対して平行である。また、平行部８８は、図６に示すように、左右方向から見て、ファン７８の回転中心Ａと重なっている。
【００９３】
第２部分８５は、図６に示すように、カバープレート８０の下方部分であって、平行部８８の下方に連続して配置されている。そのため、第２部分８５は、ファン７８の回転中心Ａよりも下方に配置されている。
【００９４】
第２部分８５は、図７Ａに示すように、側面視略クランク状を有しており、離間部分９１と、連続部分９２と、近傍部分９３とを有している。
【００９５】
離間部分９１は、第２部分８５の上方部分であって、平行部８８の下端部から連続して、下方に向かって延びている。
【００９６】
連続部分９２は、第２部分８５の上下方向略中央部分であって、離間部分９１の下端部から連続して、右方に向かって延びている。また、連続部分９２は、図６に示すように、ファン７８の回転中心Ａに対して下方に配置されており、連続部分９２の前後方向略中央は、左右方向から見て、円柱部１００の下端部と略一致、詳しくは、円柱部１００の下端縁よりも僅かに上方に配置されている。つまり、連続部分９２は、ファン７８の回転中心Ａと、円柱部１００の下端縁との間に配置されている。
【００９７】
近傍部分９３は、図７Ａに示すように、第２部分８５の下方部分であって、連続部分９２の右端部から連続して、下方に向かって延びている。そのため、近傍部分９３は、平行部８８および離間部分９１よりも右方、すなわち、ファン７８の近傍に位置している。言い換えれば、平行部８８および離間部分９１は、左右方向において、近傍部分９３よりも離間している。
【００９８】
カバー周側壁８１は、図５に示すように、カバープレート８０の周端縁から連続して、右方に向かって突出している。詳しくは、カバー周側壁８１は、図４および図５に示すように、カバー上壁９４と、カバー後壁９５と、カバー底壁９６と、側壁の一例としてのカバー前壁９７とを有している。
【００９９】
カバー上壁９４は、図７Ａに示すように、第１部分８３の上端縁から連続して、右方に向かって延びている。カバー後壁９５は、カバープレート８０の後端縁から、右方に向かって延びている。また、カバー後壁９５の上端部は、図４に示すように、カバー上壁９４の後端部に接続されている。カバー底壁９６は、図７Ａに示すように、近傍部分９３の下端縁から連続して、右方に向かって延びている。カバー底壁９６の後端部は、図４に示すように、カバー後壁９５の下端部に接続されている。
【０１００】
カバー前壁９７は、図５に示すように、カバープレート８０の前端縁から連続して、右方に向かって延びている。つまり、カバー前壁９７は、第１部分８３、規制壁８４および第２部分８５のそれぞれの前端部から、右方に向かって延びている。また、カバー前壁９７の下端部は、カバー底壁９６の前端部に接続され、カバー前壁９７の上端部は、カバー上壁９４の前端部に接続されている。
【０１０１】
延出壁８２は、図７Ａおよび図７Ｂに示すように、第１部分８３と傾斜部８７との接続部分から連続して、ファン７８から離れるように、左方に向かって延びている。つまり、延出壁８２は、傾斜部８７の上端部から連続して、左方に向かって延びている。より詳しくは、延出壁８２は、第１延出壁９８と、第２延出壁９９とを有している。
【０１０２】
第１延出壁９８は、図５に示すように、延出壁８２の前方部分であって、前後方向に延びる平面視略板状を有している。第１延出壁９８は、図７Ａに示すように、第１部分８３の下端部における前方部分と、第１傾斜部８９の上端部との接続部分から、左方に向かって延びている。
【０１０３】
第２延出壁９９は、図５に示すように、延出壁８２の後方部分であって、第１延出壁９８に対して後方に隣接配置されている。第２延出壁９９は、平面視略矩形の板状を有しており、図７Ｂに示すように、第１部分８３の下端部における後方部分と、第１傾斜部８９の上端部との接続部分から、左方に向かって延びている。また、第２延出壁９９の左右方向寸法は、図５に示すように、第１延出壁９８の左右方向寸法よりも大きい。
【０１０４】
また、ファンカバー７７は、図６に示すように、第１開口部１１０と、第２開口部１１１と、第３開口部１１２とを有している。
【０１０５】
第１開口部１１０は、カバープレート８０の第１部分８３において、格子状に複数配置されている。つまり、第１開口部１１０は、カバープレート８０の上端部に配置されており、第１開口部１１０は、側面視略矩形状を有しており、第１部分８３を左右方向に貫通している。
【０１０６】
第２開口部１１１は、カバープレート８０の離間部分９１および近傍部分９３のそれぞれにおいて、格子状に複数配置されている。つまり、第２開口部１１１は、ファン７８の回転中心Ａに対して、第１開口部１１０の反対側であるカバープレート８０の下方部分に配置されている。
【０１０７】
そのため、規制壁８４は、上下方向において、複数の第１開口部１１０と複数の第２開口部１１１との間に配置されており、上下方向において、ファン７８の回転中心Ａよりも、第１開口部１１０側に配置されている。また、傾斜部８７は、図７Ａおよび図７Ｂに示すように、第２開口部１１１側の下端部から、第１開口部１１０に近づくにつれて、左方に向かって傾斜している。つまり、第１傾斜部８９および第２傾斜部９０のそれぞれの下端部は、第２開口部１１１側の端部であり、第１傾斜部８９および第２傾斜部９０のそれぞれの上端部は、第１開口部１１０側の端部である。そして、第１傾斜部８９の下端部は、第２傾斜部９０の下端部よりも、第２開口部１１１に近い位置に配置されている。
【０１０８】
第２開口部１１１は、側面視略矩形状を有しており、離間部分９１および近傍部分９３のそれぞれを左右方向に貫通している。なお、第２開口部１１１は、連続部分９２に配置されていない。また、複数の第２開口部１１１の開口面積の総和は、複数の第１開口部１１０の開口面積の総和よりも大きい。具体的には、複数の第２開口部１１１の開口面積の総和は、複数の第１開口部１１０の開口面積の総和に対して、２〜４倍である。
【０１０９】
第３開口部１１２は、図５に示すように、カバー前壁９７の左方部分における上下方向略中央において、上下方向に複数並列配置されている。第３開口部１１２は、正面視略矩形状を有しており、カバー前壁９７を前後方向に貫通している。
【０１１０】
このようなファンユニット７０は、図３および図４に示すように、右サイドフレーム４０Ｒおよび右方のリア側壁４３の隣接部分の上端部に対して、右方に間隔を空けて向かい合っている。これによって、ファン７８は、図４に示すように、右サイドフレーム４０Ｒの後上端部および右方のリア側壁４３の前上端部のそれぞれに対して、右方に間隔を空けて向かい合っている。
【０１１１】
また、ファンユニット７０は、図３に示すように、右サイドフレーム４０Ｒに対して、定着ユニット１７の反対側に配置されており、ファン７８は、図４に示すように、左右方向から見て、ファン７８の前下端部が、加熱ローラ３１と重なっている。そして、ファン７８の前端部は、定着フレーム６５の前端部よりも後方に位置している。
【０１１２】
また、図３に示すように、延出壁８２は、右サイドフレーム４０Ｒの上端部に対して上方に隣接配置されており、ファンユニット７０の上端部は、切欠部５５を介して、右サイドフレーム４０Ｒの上端部よりも上方に位置している。これによって、複数の第１開口部１１０は、図７Ａに示すように、トップカバー７の後方部分６２および右サイドフレーム４０Ｒよりも上方に位置しており、トップカバー７の後方部分６２と、スキャナフレーム２８の下端部２８Ａとの間の空間と連通している。
【０１１３】
一方、ファンユニット７０の下方部分は、図３に示すように、エンクロージャー４７の収容空間Ｓ内に配置されており、複数の第２開口部１１１は、図７Ａに示すように、収容空間Ｓと連通している。
５．低圧電源基板、高圧電源基板および制御基板
低電圧基板７１、高電圧基板７２および制御基板７３は、エンクロージャー４７の収容空間Ｓ内に収容されている。
【０１１４】
低電圧基板７１は、図４に示すように、右サイドフレーム４０Ｒの右面における下方部分に支持されている。低電圧基板７１は、前後方向に延びる側面視略矩形の板状を有している。低電圧基板７１は、外部電源からプリンタ１に入力された交流電流を直流電流に変換する。
【０１１５】
高電圧基板７２は、低電圧基板７１の上方において、右サイドフレーム４０Ｒの右面に支持されている。高電圧基板７２は、前後方向に延びる側面視略矩形の板状を有している。また、高電圧基板７２は、ファンユニット７０に対して前下方に配置されており、高電圧基板７２の後上端部は、図３に示すように、カバープレート８０の近傍部分９３に対して左方に間隔を空けて配置されている。
【０１１６】
また、高電圧基板７２は、低電圧基板７１に電気的に接続されている。高電圧基板７２は、図示しない変圧器を備え、制御基板７３によって制御されることにより、低電圧基板７１から入力された直流電流を、所定の電圧に変換して、スコロトロン型帯電器２２、転写ローラ２１、供給ローラ２６および現像ローラ２５に供給する。
【０１１７】
制御基板７３は、高電圧基板７２の後端部の上方、かつ、ファンユニット７０の前方において、右サイドフレーム４０Ｒの右面に支持されている。制御基板７３は、側面視略矩形の板状を有している。制御基板７３は、プリンタ１の各動作を制御するように構成され、低電圧基板７１および高電圧基板７２に電気的に接続されている。
６．本体ケーシングにおける気流
プリンタ１において、ファン７８が回転すると、本体ケーシング２内において空気を流動し、気流が発生する。詳しくは、ファン７８が回転すると、図７Ａに示すように、ファン７８とカバープレート８０との間の空気が、右方に向かって流動し、通気口５３を介して本体ケーシング２外に排出される。これによって、ファンカバー７７内の圧力が低下する。
【０１１８】
すると、トップカバー７の後方部分６２とスキャナフレーム２８の下端部２８Ａとの間に位置する空気が、複数の第１開口部１１０を介して、ファンカバー７７内に取り込まれるとともに、エンクロージャー４７の収容空間Ｓの空気が、複数の第２開口部１１１を介して、ファンカバー７７内に取り込まれる。
【０１１９】
ここで、後方部分６２とスキャナフレーム２８の下端部２８Ａとの間に位置する空気は、図１に示すように、定着ユニット１７の加熱ローラ３１により加熱され、貫通口６３を介して、後方部分６２上に排出された空気を含む。
【０１２０】
そして、図３に示すように、後方部分６２とスキャナフレーム２８の下端部２８Ａとの間の空気がファンカバー７７内に取り込まれると、後方部分６２とスキャナフレーム２８の下端部２８Ａとの間において、ファン７８に向かう第１気流Ｆ１が発生する。すなわち、第１気流Ｆ１は、後方部分６２の上方において、左方から右方に向かって流れている。
【０１２１】
その後、第１気流Ｆ１が延出壁８２の上方まで到達すると、第１気流Ｆ１は、図７Ａおよび図７Ｂに示すように、ファン７８の駆動により、複数の第１開口部１１０を介して、ファンカバー７７内に引き込まれる。そして、ファンカバー７７内に引き込まれた第１気流Ｆ１は、傾斜部８７によりファン７８の回転中心Ａに向かうようにガイドされた後、右方に向かって進行し、通気口５３を介して、本体ケーシング２外に排出される。
【０１２２】
一方、エンクロージャー４７の収容空間Ｓの空気がファンカバー７７内に取り込まれると、図３に示すように、エンクロージャー４７の収容空間Ｓにおいて、低電圧基板７１、高電圧基板７２および制御基板７３の周辺から、ファン７８に向かう第２気流Ｆ２が発生する。すなわち、第２気流Ｆ２は、収容空間Ｓにおいて、下方から上方に向かって流れている。
【０１２３】
その後、第２気流Ｆ２がファンユニット７０の下方部分の左方まで到達すると、第２気流Ｆ２は、図７Ａおよび図７Ｂに示すように、ファン７８の駆動により、複数の第２開口部１１１を介して、ファンカバー７７内に引き込まれた後、右方に向かって進行し、通気口５３を介して、本体ケーシング２外に排出される。
７．作用効果
（１）規制壁８４は、図６に示すように、左右方向から見て、ファン７８の回転中心Ａと重なるように配置されている。
【０１２４】
そのため、ファン７８の回転中心Ａの近傍において生じる気流は、規制壁８４により、左右方向に沿う流動が規制される。そして、規制壁８４は、図７Ａおよび図７Ｂに示すように、規制した気流をガイドするので、第１開口部１１０および第２開口部１１１のそれぞれを通過する空気の流量を調整することができる。
【０１２５】
そのため、第１開口部１１０および第２開口部１１１のそれぞれにおいて、本体ケーシング２内の部材を効率よく冷却するために必要な空気の流量を確保することができる。その結果、ファン７８の配置が制限される場合であっても、本体ケーシング２内の部材を効率よく冷却することができる。
（２）傾斜部８７は、図７Ａおよび図７Ｂに示すように、第２開口部１１１側の端部である下端部から、第１開口部１１０に近づくにつれて、左方つまり、ファン７８から離れるように傾斜している。そのため、ファン７８と傾斜部８７との間の空間は、傾斜部８７が第２開口部１１１側から第１開口部１１０に近づくにつれて大きくなる。すなわち、ファン７８と傾斜部８７との間の空間は、第２開口部１１１側よりも、第１開口部１１０側の方が大きく確保されている。
【０１２６】
そして、ファン７８が駆動すると、ファン７８と傾斜部８７との間の空気が流動するので、ファン７８と傾斜部８７との間において、第１開口部１１０側の方が第２開口部１１１側よりも多くの空気が流動する。そのため、第１開口部１１０を通過する空気の流量の向上を図ることができる。
（３）傾斜部８７は、図７Ａおよび図７Ｂに示すように、回転中心Ａよりも第１開口部１１０側、つまり上方に配置されている。そのため、複数の第１開口部１１０の開口面積の総和が、複数の第２開口部１１１の開口面積の総和よりも小さい場合であっても、第１開口部１１０を通過する空気の流量の低下を抑制することができる。
（４）第１傾斜部８９とファン７８とが画定する空間の体積が、図７Ａおよび図７Ｂに示すように、第２傾斜部９０とファン７８とが画定する空間の体積よりも大きい。そのため、複数の第１開口部１１０のうち、前方部分に位置する第１開口部１１０を通過する空気の流量を、複数の第１開口部１１０のうち、後方部分に位置する第１開口部１１０を通過する空気の流量よりも多く確保することができる。
（５）第１傾斜部８９の下端部は、図６に示すように、第２傾斜部９０の下端部よりも、第２開口部１１１の近くに位置している。そのため、第１傾斜部８９とファン７８とが画定する空間の体積を、第２傾斜部９０とファン７８とが画定する空間の体積よりも確実に大きく確保することができる。
（６）定着ユニット１７は、図４に示すように、定着ユニット１７の前端部がファン７８の前端部よりも前方に位置するように配置されている。
【０１２７】
ここで、図７Ａおよび図７Ｂに示すように、複数の第１開口部１１０うち、前方部分に配置される第１開口部１１０、つまり、複数の第１開口部１１０のうち、定着ユニット１７の近傍に配置される第１開口部１１０を通過する空気の流量が、複数の第１開口部１１０うち、後方部分に配置される第１開口部１１０を通過する空気の流量よりも多く確保されている。そのため、定着ユニット１７を効率的に冷却することができる。
（７）第３開口部１１２は、図５に示すように、規制壁８４の前端部から右方に向かって延びるカバー前壁９７に配置されている。そのため、ファン７８に対して、前方の空気を確実に流動させることができる。
（８）高電圧基板７２は、図４に示すように、ファン７８に対して前下方に配置されている。ここで、ファン７８は、図５に示すように、第３開口部１１２を介して、前方の空気を確実に流動させることができるので、高電圧基板７２を効率的に冷却することができる。
（９）延出壁８２は、図７Ａおよび図７Ｂに示すように、傾斜部８７の上端部から連続して、左方に延びている。そのため、延出壁８２は、第１開口部１１０の近傍の空気が第１開口部１１０に向かうようにガイドできる。
（１０）規制壁８４は、図７Ａおよび図７Ｂに示すように、ファン７８に対して左方に間隔を空けて向かい合っている。そのため、規制壁８４とファン７８との間には空間が確保されている。そのため、ファン７８が駆動したときに、規制壁８４とファン７８との間の空気を確実に流動させることができ、ひいては、第１開口部１１０を通過する空気の流量の向上を確実に図ることができる。
（１１）規制壁８４は、図７Ａおよび図７Ｂに示すように、傾斜部８７と連続する平行部８８を有している。そのため、第１開口部１１０および第２開口部１１１のそれぞれを通過する空気の流量を確実に調整することができる。
（１２）近傍部分９３と離間部分９１とを連続する連続部分９２は、図７Ａおよび図７Ｂに示すように、回転中心Ａに対して、下方に配置されている。そのため、ファン７８が駆動したときに、ファン７８が、連続部分９２に対して下方に位置する空気を流動させることを抑制できる。
【０１２８】
そのため、第２開口部１１１を通過する空気の流量を制限することができ、相対的に、第１開口部１１０を通過する空気の流量の向上を図ることができる。
（１３）連続部分９２は、図６に示すように、回転中心Ａと円柱部１００の下端部との間に配置されている。そのため、第２開口部１１１を通過する空気の流量を適切に制限することができながら、第１開口部１１０を通過する空気の流量の向上を図ることができる。
（１４）近傍部分９３は、図７Ａおよび図７Ｂに示すように、左右方向においてファン７８の近傍に位置しているので、ファン７８が駆動すると、近傍部分９３に配置される第２開口部１１１の周囲の空気が確実に流動する。そのため、近傍部分９３に配置される第２開口部１１１を通過する空気の流量を確実に確保することができる。
【０１２９】
一方、離間部分９１は、左右方向において、近傍部分９３よりもファン７８から離間しているので、ファン７８が駆動すると、離間部分９１とファン７８との間には、第１開口部１１０を通過する空気が流入する。そのため、第１開口部１１０を通過する空気の流量のさらなる向上を図ることができながら、離間部分９１に配置される第２開口部１１１を通過する空気の流量を抑制することができる。その結果、離間部分９１に配置される第２開口部１１１を通過する空気の流量は、近傍部分９３に配置される第２開口部１１１を通過する空気の流量と比較して少ない。つまり、第２開口部１１１の各部分において、空気の流量を調整することができる。
（１５）ファン７８は、図４に示すように、右サイドフレーム４０Ｒとリアフレーム４１とのそれぞれに対して右方に向かい合うように、配置されている。しかし、ファンカバー７７は、第１開口部１１０および第２開口部１１１のそれぞれを通過する空気の流量を調整することができるので、ファン７８を右サイドフレーム４０Ｒとリアフレーム４１とのそれぞれに対して右方に向かい合うように配置しても、本体ケーシング２内の部材を効率よく冷却することができる。
（１６）ファン７８は、図３に示すように、右サイドフレーム４０Ｒに対して右方に向かい合うように、右サイドカバー４２Ｒに取り付けられている。そのため、ファン７８は、右サイドフレーム４０Ｒと、右サイドカバー４２Ｒのプレート５０との左右方向の間に配置されている。
【０１３０】
その結果、ファン７８は、駆動することにより、右サイドフレーム４０Ｒと右サイドカバー４２Ｒのプレート５０との間、つまり収容空間Ｓにおいて第２気流Ｆ２を発生させることができる。よって、収容空間Ｓ内に収容される部材を、効率よく冷却することができる。
【符号の説明】
【０１３１】
１      プリンタ
２      本体ケーシング
４      画像形成部
１０    フラットベットスキャナ
１７    定着ユニット
４０Ｒ  右サイドフレーム
４１    リアフレーム
４２Ｒ  右サイドカバー
７２    高電圧基板
７７    ファンカバー
７８    ファン
８２    延出壁
８３    第１部分
８４    規制壁
８５    第２部分
８７    傾斜部
８８    平行部
８９    第１傾斜部
９０    第２傾斜部
９１    離間部分
９２    連続部分
９３    近傍部分
９７    カバー前壁
１００  円柱部
１０１  複数の羽根部
１１０  第１開口部
１１１  第２開口部
１１２  第３開口部
Ｐ      用紙
Ａ      ファンの回転中心
【図１】
2015127744.tif 000003
【図２】
2015127744.tif 000004
【図３】
2015127744.tif 000005
【図４】
2015127744.tif 000006
【図５】
2015127744.tif 000007
【図６】
2015127744.tif 000008
【図７】
2015127744.tif 000009